(57)【要約】【課題】原稿に対して光を照射するスキャナランプを備えた画像読取部を有する画像処理装置において、スキャナランプを節電してより一層の省エネルギー化を図ることを課題とする。【解決手段】前記スキャナランプ３５を、予め設定した設定時間になった場合に、消灯又は光量低減する制御手段を備えた構成とする。あるいは、スキャナランプ３５を節電モードに移行する節電モード移行手段と、該節電モード移行手段により節電モード移行条件が満たされた場合に、スキャナランプ３５を消灯又は光量低減する制御手段と、を備えた構成とする。【選択図】図３
2005117255.tif 000002
【特許請求の範囲】
【請求項１】
原稿に対して光を照射するスキャナランプを備えた画像読取部を有する画像処理装置において、
前記スキャナランプを、予め設定した設定時間になった場合に、消灯又は光量低減する制御手段を備えたことを特徴とする画像処理装置。
【請求項２】
原稿に対して光を照射するスキャナランプを備えた画像読取部を有する画像処理装置において、
前記スキャナランプを節電モードに移行する節電モード移行手段と、
前記節電モード移行手段により節電モード移行条件が満たされた場合に、前記スキャナランプを消灯又は光量低減する制御手段と、
を備えたことを特徴とする画像処理装置。
【請求項３】
原稿に対して光を照射するスキャナランプを備えた画像読取部と、プリンタとを有する画像処理装置において、
前記スキャナランプと前記プリンタとをともに節電モードに移行する節電モード移行手段と、
前記節電モード移行手段により節電モード移行条件が満たされた場合に、前記プリンタを節電モードに移行するとともに前記スキャナランプを消灯又は光量低減する制御手段と、
を備えたことを特徴とする画像処理装置。
【請求項４】
原稿に対して光を照射するスキャナランプを備えた画像読取部と、プリンタとを有する画像処理装置において、
前記プリンタを節電モードに移行する第１節電モード移行手段と、
前記スキャナランプを節電モードに移行する第２節電モード移行手段と、
前記第１節電モード移行手段により第１節電モード移行条件が満たされた場合には、前記プリンタを節電モードに移行し、前記第２節電モード移行手段により第２節電モード移行条件が満たされた場合には、前記スキャナランプを消灯又は光量低減する制御手段と、
を備えたことを特徴とする画像処理装置。
【請求項５】
前記制御手段は、前記スキャナランプを消灯又は光量低減させた場合に、スキャナ系の電気回路の全部又は一部の、電源をオフ又は消費電力を低減することを特徴とする請求項１から請求項４のうち何れか一項に記載の画像処理装置。
【発明の詳細な説明】
【技術分野】
【０００１】
本発明は、原稿に対して光を照射するスキャナランプを備えた画像読取部を有する画像処理装置の技術に関する。
【背景技術】
【０００２】
近年、省エネルギー化への関心が高まるなか、コピー機やファクシミリ、複合機などの画像処理装置においても、省電力モードを備えたものが使用されている。
例えば、特許文献１に記載の画像処理装置では、画像形成時以外（スリープモード時）には定着器の加熱ローラ内のヒータをオフ又は所定の温度まで下げて待機させておくことで、必要以上の電力消費が抑えられている。このように、従来の画像処理装置では、専ら加熱ローラ内のヒータに着目して、該ヒータの電力消費を抑えることで、省エネルギー化が図られている。
【０００３】
【特許文献１】特開平９−８９６８号公報
【発明の開示】
【発明が解決しようとする課題】
【０００４】
ところで、ファクシミリ機能を備えた画像処理装置の場合、通常、海外などからのファクシミリ受信に備えて、昼夜を問わず、一日中装置電源をオンにしている。この画像処理装置は、画像読取部に原稿に対して光を照射するスキャナランプを備えており、特許文献１にはスキャナランプについては言及されていないが、該スキャナランプの光源には、従来より蛍光灯が使用されている。この蛍光灯は点灯してから光量が安定するまでにかなりの時間を要するため、該蛍光灯は常時点灯されていた。
しかしながら、夜中などファクシミリ受信に備えるだけで、画像読取処理（スキャナ処理）が行なわれる可能性が殆どない時間帯にもスキャナランプを常時点灯させておくのは、徒に電力が消費されて無駄である。
そこで、本発明では、スキャナランプを備えた画像読取部を有する画像処理装置において、より一層の省エネルギー化を図ることが課題である。
【課題を解決するための手段】
【０００５】
本発明の解決しようとする課題は以上の如くであり、次にこの課題を解決するための手段を説明する。
【０００６】
すなわち、請求項１に記載のように、原稿に対して光を照射するスキャナランプを備えた画像読取部を有する画像処理装置において、前記スキャナランプを、予め設定した設定時間になった場合に、消灯又は光量低減する制御手段を備えた構成とする。
【０００７】
また、請求項２に記載のように、原稿に対して光を照射するスキャナランプを備えた画像読取部を有する画像処理装置において、前記スキャナランプを節電モードに移行する節電モード移行手段と、前記節電モード移行手段により節電モード移行条件が満たされた場合に、前記スキャナランプを消灯又は光量低減する制御手段と、を備えた構成とする。
【０００８】
そして、請求項３に記載のように、原稿に対して光を照射するスキャナランプを備えた画像読取部と、プリンタとを有する画像処理装置において、前記スキャナランプと前記プリンタとをともに節電モードに移行する節電モード移行手段と、前記節電モード移行手段により節電モード移行条件が満たされた場合に、前記プリンタを節電モードに移行するとともに前記スキャナランプを消灯又は光量低減する制御手段と、を備えた構成とする。
【０００９】
さらに、請求項４に記載のように、原稿に対して光を照射するスキャナランプを備えた画像読取部と、プリンタとを有する画像処理装置において、前記プリンタを節電モードに移行する第１節電モード移行手段と、前記スキャンナランプを節電モードに移行する第２節電モード移行手段と、前記第１節電モード移行手段により第１節電モード移行条件が満たされた場合には、前記プリンタを節電モードに移行し、前記第２節電モード移行手段により第２節電モード移行条件が満たされた場合には、前記スキャナランプを消灯又は光量低減する制御手段と、を備えた構成とする。
【００１０】
また、請求項５に記載のように、前記制御手段は、前記スキャナランプを消灯又は光量低減させた場合に、スキャナ系の電気回路の全部又は一部の、電源をオフ又は消費電力を低減する。
【発明の効果】
【００１１】
本発明の効果として、以下に示すような効果を奏する。
まず、請求項１に記載の発明では、ユーザによる装置の使用状況に応じてスキャナランプを自動的に消灯又は光量低減させる時間若しくは時間帯を設定することができる結果、無用の電力消費を抑えることができ、省エネルギー化を図ることができる。
【００１２】
また、請求項２に記載の発明では、節電モード移行条件が満たされた場合に、スキャナランプが消灯又は光量低減する構成で、必要以上の電力消費を抑えることができ、省エネルギー化を図ることができる。
【００１３】
そして、請求項３に記載の発明では、節電モード移行条件が満たされた場合に、プリンタが節電モードに移行するとともに、これと同時にスキャナランプも消灯又は光量低減する構成で、必要以上の電力消費を抑えることができ、省エネルギー化を図ることができる。
【００１４】
さらに、請求項４に記載の発明では、スキャナランプが消灯又は光量低減状態から使用可能状態に復帰する際に光量が安定するまでの時間と、プリンタが節電モードから使用可能状態に復帰する際にヒータ温度が安定するまでの時間と、を考慮してそれぞれに最適な節電モード移行条件を設定することができ、また、画像処理装置が設置される環境などにも応じて最適な節電モード移行条件を設定することができる。よって、汎用性が向上するとともに、必要以上の電力消費を抑えることができて省エネルギー化を図ることができる。
【００１５】
また、請求項５に記載の発明では、スキャナランプ以外にも、スキャナ系の電気回路の全部又は一部を電源オフ又は消費電力低減することで、より一層の省エネルギー化を図ることができる。
【発明を実施するための最良の形態】
【００１６】
次に、本発明の一実施例について、画像読取部３を備えた画像処理装置としてのコピー・ファクシミリ複合機１を参照しながら説明する。
【００１７】
図１はコピー・ファクシミリ複合機１の概略構成であり、複合機１の本体は、給紙カセット５１を備えた給紙部５上に載置固定されており、この本体内にはスキャナとしての画像読取部３と、プリンタとしての画像記録部４とが上下に配置されている。また、本体上部には読取載置台６が形成され、この読取載置台６内部に画像読取部３が設けられている。
なお、本発明では、画像読取部３をモノクロスキャナとして構成しているが、カラースキャナとして構成してもよく、特に限定はしないものとする。
【００１８】
読取載置台６の上方には、その一辺を中心として上下開閉可能に構成されるプラテンカバー７が設けられている。そして、プラテンガラス９上にセットされた原稿を、このプラテンカバー７を閉じて覆い、スタート操作により読取載置台６内に設けられた読取装置３１を副走査方向（図１における左右方向）へ走査させることで原稿画像が読み取られるように構成されている。
【００１９】
また、プラテンカバー７の一端部には、自動原稿搬送装置（以下、「ＡＤＦ」と呼ぶ）８が付設されており、ＡＤＦ８の給紙口８ａに連なるように、原稿供給トレイ２８がプラテンカバー７の上方において配設されて、その下方におけるプラテンカバー７の上面には、ＡＤＦ８の給紙口８ａの直下に配置された排紙口８ｂに連なるように原稿排出トレイ７ｂが一体形成されている。そして、原稿供給トレイ２８上にセットされた原稿は給紙口８ａから１枚ずつＡＤＦ８内へ給送されて、読取載置台６内の一側部に位置固定した読取装置３１によって原稿画像が読み取られ、排紙口８ｂから原稿排出トレイ７ｂ上に排出されるように構成されている。
【００２０】
前記読取装置３１は、読取原稿に対して光を照射するスキャナランプ３５を備え、該スキャナランプ３５は、バルブ外面に一対の電極を形成した外面電極タイプのランプで構成されている。読取装置３１はこのスキャナランプ３５を発光させて、読取原稿からの反射光をミラー３６・３７・３８で反射し、レンズ３９を介してＣＣＤ３２へ集光して、該ＣＣＤ３２で原稿画像を結像し、画像情報を読み取るように構成している。
【００２１】
前記画像記録部４の内部には、給紙カセット５１から繰り込まれた記録紙５５を搬送する記録紙搬送経路１４が形成されており、該記録紙搬送経路１４に沿って下流側へ向けて現像器ユニット２５、感光体ユニット２６、定着器ユニット２７が配置されている。
【００２２】
定着器ユニット２７は、ヒートローラ４１と、ヒートローラ４１に圧接するプレスローラ４２とを備え、該ヒートローラ４１内における軸心位置には、ハロゲンランプ等のランプヒータ４３が内装されている。また、ヒートローラ４１の外周表面には、温度検出手段であるサーミスタ４５が設けられ、ヒートローラ４１の外周温度を検出するように構成している。このように定着器ユニット２７は、定着熱ローラ方式で構成されていて、ヒートローラ４１とプレスローラ４２とにより、トナー像を保持した記録紙５５を、加熱および加圧しながら記録紙搬送経路１４に沿って挟持搬送し、トナー像を記録紙５５に定着させている。
【００２３】
図２は複合機１の制御機構を示すブロック図であり、複合機１の制御部には、制御手段であるＭＰＵ１１、ＲＯＭ１２、ＲＡＭ１３、画像読取部３、画像記録部４、操作部２、ＡＤＦ８、表示部２０、画像メモリ（ＤＲＡＭ）１５、ＣＯＤＥＣ（符号化・複号器）１６、ＭＯＤＥＭ１７、及びＮＣＵ（ネットワーク制御回路）１８が備えられ、これらの各部がバス１９を介して通信可能に接続されている。
【００２４】
ＭＰＵ１１は、操作部２への入力操作及び制御プログラム等に基づいて、複合機１の各部を制御する制御手段である。ＲＯＭ１２には、複合機１を制御する制御プログラム等が記憶されている。また、ＲＡＭ１３には、複合機１の制御状態などの各種情報が一時的に記憶される。
【００２５】
画像読取部３は、読取処理に係る光学系を構成する読取装置３１、ＣＣＤ３２、読取部制御回路３０等を備え、プラテンガラス９上に載置された写真、文書、図面などの原稿を光学的に読み取って、イメージデータである原稿画情報を出力する。
【００２６】
読取部制御回路３０は、画像読取部３の各装置の制御手段である。画像読取部３は、例えば、原稿サイズに応じて、読取装置３１の主走査方向および副走査方向の走査幅（走行幅）を変更したり、読取装置３１のスキャナランプ３５のオン／オフ、又は光量の調節を行ったりする。
【００２７】
画像記録部４は、電子写真方式のプリンタで構成され、前記画像読取部３で出力された原稿画像や、ＭＯＤＥＭ１７を介して受信した受信画像を記録紙上に記録（印刷）可能となっている。
また、この画像記録部４は、定着器ユニット２７においてヒートローラ４１に内装されるランプヒータ４３を制御するヒータ制御回路４８を備えており、このヒータ制御回路４８にはサーミスタ４５によって検出されるヒートローラ４１の外周温度に基づく信号が入力される構成となっている。
【００２８】
操作部２には、複合機１を操作するための入力手段として、スタートキーやテンキー、表示対応キー等各種操作キーが設けられている。
表示部２０はＬＣＤ（液晶ディスプレイ）などで構成されており、操作部２上に配置されている。この表示部２０には複合機１の動作状態などの各種情報が表示され、この表示部２０の手前の表示対応キーで表示事項を選択設定するように構成されている。
【００２９】
画像メモリ１５には、前記原稿画像や受信画像などのイメージデータが一時的に記憶される。ＣＯＤＥＣ（符号化・復号器）１６は、符号化器として機能し、画像読取部３で読み取られた原稿画像を、ＭＨ、ＭＲ、ＭＭＲ方式などにより符号化（エンコード）する。また、ＣＯＤＥＣ１６は復号器としても機能し、上述のように符号化したイメージデータを復号（デコード）する。ＭＯＤＥＭ１７は、ＩＴＵ（国際電気通信連合）勧告に従ったファクシミリ伝送制御手順に基づいて、送信データの変調及び受信データの復調を行う。ＮＣＵ（ネットワーク制御回路）１８は、電話回線Ｌとの接続を制御するとともに、相手先の電話番号（ファクシミリ番号を含む）に対応したダイアル信号の送出および着信を検出するための機能を備えている。
【００３０】
次に、読取装置３１内のスキャナランプ３５の節電制御について３つの実施形態を説明する。
まず、スキャナランプ３５の節電制御の第１実施形態から説明する。
スキャナランプ３５は、上述したように、スキャナランプ３５が接続されている読取部制御回路３０によって制御可能に構成されており、該読取部制御回路３０は、ＲＯＭ１２に記憶されている第１節電プログラムに基づいて、予め設定された設定時間になった場合に、自動的に作動してスキャナランプ３５を消灯（又は光量低減）し、節電状態に移行するように構成されている。
【００３１】
スキャナランプ３５の制御手段である第１節電プログラムは、現時刻を計測するタイマ時計を備えて、該タイマ時計により設定時間（オフ時間）になったことが検出されると、読取部制御回路３０へオフ信号が出力されて、スキャナランプ３５を消灯（又は光量低減）し、設定時間（オン時間）になったことが検出されると、読取部制御回路３０へオン信号が出力されて、スキャナランプ３５を点灯（又は元の光量に復帰）するように構成されている。
なお、このタイマ時計はＭＰＵ１１又はＲＯＭ１２内に内蔵されているものを用いてもよい。
【００３２】
設定時間については、操作部２上のキー操作などによってユーザが予め年月日、曜日、時分などを入力することで設定できるようになっており、例えば、オフィス等においては、夕方の終業時から翌朝の就業時までの時間帯（例えば２０：００〜翌８：００）や、土・日・祝日などがスキャナランプ３５を消灯（又は光量低減）する時間帯となる。
なお、この設定時間はタイマ時間として、該タイマ時間を入力設定することで、該タイマ時間が経過後にスキャナランプ３５が消灯（又は光量低減）するように構成してもよい。
【００３３】
以上のような構成で、夜間などファクシミリ受信に備えるだけでスキャナ処理が行なわれる可能性が殆どない時間帯は、スキャナランプ３５を消灯（又は光量低減）させて、節電を図っている。
なお、この節電が行われている時間帯において、ユーザが操作部２上のキー操作により画像読取処理（スキャナ処理）を実行しようとすると、節電状態にあるスキャナランプ３５は直ちに通常の作動可能状態に復帰するように構成されている。すなわち、節電が行われている時間帯において、ユーザにより操作部２上の何れかのキーが押されると、これをトリガーとして、消灯（又は光量低減）状態にあるスキャナランプ３５が直ちに立ち上がってウォームアップが開始されるとともに、表示部２０に「待機中」などと表示される。そして、スキャナランプ３５の光量が安定すると、表示部２０には「スキャナ可能」などと表示が切り換わり、画像読取処理（スキャナ処理）を実行することが可能な状態となるように構成されている。
【００３４】
このスキャナランプ３５には、例えば、管内に希ガス（Ｘｅ）を封入しバルブ外面に一対の電極を形成した外面電極タイプのランプが使用されており、該外面電極タイプのランプは、従来の画像処理装置のスキャナランプ３５に用いられている蛍光灯に比べて、光量が安定するまでの時間がかなり短くなり、スキャナランプ３５が節電状態から立ち上がったときも、待ち時間が短くなるという利点がある。
【００３５】
以上、スキャナランプ３５の節電制御の第１実施形態の説明である。
なお、この第１実施形態において、スキャナランプ３５を節電状態へ移行させたとき、若しくは移行させた後に、スキャナ系（ＡＤＦ８、読取装置３１、ＣＣＤ３２、ＣＯＤＥＣ１６等）の電気回路の全部又は一部の、電源をオフ（又は消費電力を低減）するように構成してもよい。
【００３６】
以上のような構成で、ユーザによる装置の使用状況に応じてスキャナランプを自動的に消灯又は光量低減させる時間若しくは時間帯（例えば、夜間など）を設定することができる結果、無用の電力消費を抑えることができ、省エネルギー化を図ることができる。
【００３７】
次に、スキャナランプ３５の節電制御の第２実施形態について説明する。
この第２実施形態では、スキャナランプ３５と画像記録部（プリンタ）４とをともに節電モードに移行する節電モード移行手段と、該節電モード移行手段による節電モード移行条件が満たされた場合に、該画像記録部４を節電モードに移行するとともに該スキャナランプ３５を消灯（又は光量低減）する制御手段である第２節電プログラムと、を備えたところに特徴がある。
【００３８】
前記第２節電プログラムはＲＯＭ１２に組み込まれており、以下に記載の節電モード移行条件が満たされた場合に、画像記録部４とスキャナランプ３５とを節電するように構成されている。
【００３９】
画像記録部４の「節電モード」とは、例えば、定着器ユニット２７のヒートローラ４１のランプヒータ４３をオフ又は低温度帯温度維持制御に移行させて消費電力を低下させるスリープモードのことであり、ランプヒータ４３のスリープモードへの移行に加えて、現像器ユニット２５や感光体ユニット２６の駆動系の電気回路をオフ又は消費電力を低減する構成としてもよい。
【００４０】
スキャナランプ３５の「節電モード」とは、前記のように、該スキャナランプ３５を消灯又は光量低減するスリープモードのことである。なお、このスキャナランプ３５の節電モードへの移行時に、スキャナ系（ＡＤＦ８、読取装置３１、ＣＣＤ３２、ＣＯＤＥＣ１６等）の電気回路の全部又は一部の、電源をオフ又は消費電力を低減するように構成してもよい。
【００４１】
また、「節電モード移行条件」とは、「ジョブ又は最後の操作が終了してからの放置時間（何も操作されない時間）が予め設定された所定時間Ｔに達したか否か」であり、「節電モード移行手段」は「ジョブ又は最後の操作の終了を検出してから放置時間を計測する手段」であり、「節電モード移行手段により節電モード移行条件が満たされた場合」とは、「節電モード移行手段によりジョブ又は最後の操作の終了を検出したときからの放置時間が所定時間Ｔに達した場合」のことである。ここで、「最後の操作」には、各種の設定／登録操作も含まれるものとする。
【００４２】
あるいは、「節電モード移行条件」とは、「節電モード移行操作がなされたか否か」であり、例えば、操作部２に設けられた節電モード移行キーが押されるなどして節電モード移行操作がなされたか否かという条件のことである。この場合、節電モード移行キーが節電モード移行手段であって、「節電モード移行条件が満たされた場合」とは、「節電モード移行操作がなされた場合」のことである。
【００４３】
なお、節電モード移行キーを専用の操作キーとして設けずに、表示対応キーの操作により表示部２０に節電モードへの移行画面を呼び出し、該表示対応キーを操作して節電モードへ切り換えるように構成してもよく、節電モード移行手段、及び節電モード移行条件は特に限定はしないものとする。
【００４４】
以下では、前者の節電モード移行手段を備えた画像処理装置について、節電モードへ移行するまでの流れを図３に示すフローチャートを参照しながら説明することとする。
【００４５】
まず、ステップＡ１において、ジョブ又は最後の操作が終了したか否かが判断される。そして、ジョブ又は最後の操作が終了した後、放置時間（何も操作されない時間）が所定時間Ｔに達すると（ステップＡ２）、ヒータ制御回路４８へ節電信号を出力して定着器ユニット２７のランプヒータ４３を電源オフ（又は低温度帯温度維持制御に移行）するとともに、読取部制御回路３０へ節電信号を出力してスキャナランプ３５を消灯（又は光量低減）する（ステップＡ３）。
【００４６】
なお、この所定時間Ｔは操作部２上のキー操作などによってユーザが予め設定入力することができるようになっている。
【００４７】
以上のようにスキャナランプ３５の節電制御の第２実施形態によれば、節電モード移行条件が満たされた場合に、ランプヒータ４３が節電モードに移行するとともに、これと同時にスキャナランプ３５も消灯又は光量低減する構成で、必要以上の電力消費を抑えることができ、省エネルギー化を図ることができる。
【００４８】
次に、スキャナランプ３５の節電制御の第３実施形態について説明する。
この第３実施形態では、画像記録部（プリンタ）４を節電モードに移行する第１節電モード移行手段と、スキャナランプ３５を節電モードに移行する第２節電モード移行手段と、該第１節電モード移行手段による第１節電モード移行条件が満たされた場合には、画像記録部４を節電モードに移行し、該第２節電モード移行手段による第２節電モード移行条件が満たされた場合には、スキャナランプ３５を消灯又は光量低減する制御手段である第３節電プログラムと、を備えたところに特徴がある。
【００４９】
前記第３節電プログラムはＲＯＭ１２に組み込まれており、以下に記載の移行条件の下で、画像記録部４とスキャナランプ３５とを独立して節電するように構成されている。
なお、「節電モード移行条件」というのは、「放置時間が設定時間に達したか否か」と「節電モード移行操作がなされたか否か」であり、「節電モード移行条件が満たされた場合」というのは、「放置時間が設定時間に達した場合」と「節電モード移行操作がなされた場合」である。ここで「放置時間」とは、ジョブ又は最後の操作が終了してからの放置時間（何も操作されない時間）のことであり、「最後の操作」には、各種の設定／登録操作も含まれる。
【００５０】
第３実施形態における画像記録部４の節電モードと、スキャナランプ３５の節電モードとは、それぞれ第２実施形態における画像記録部４の節電モードと、スキャナランプ３５の節電モードと、同様のモードである。
【００５１】
また、「第１節電モード移行条件」とは、「ジョブ又は最後の操作が終了してからの放置時間（何も操作されない時間）が予め設定された第１の所定時間Ｔ１に達したか否か」であり、「第１節電モード移行手段」は「ジョブ又は最後の操作の終了を検出してから放置時間を計測する手段」であり、「第１節電モード移行手段により第１節電モード移行条件が満たされた場合」とは、「第１節電モード移行手段によりジョブ又は最後の操作の終了を検出したときからの放置時間が第１の所定時間Ｔ１に達した場合」のことである。ここで、「最後の操作」には、各種の設定／登録操作も含まれるものとする。
【００５２】
また、「第１節電モード移行条件」と同様に「第２節電モード移行条件」とは、「ジョブ又は最後の操作が終了してからの放置時間（何も操作されない時間）が予め設定された第２の所定時間Ｔ２に達したか否か」であり、「第２節電モード移行手段」は「ジョブ又は最後の操作の終了を検出してから放置時間を計測する手段」であり、「第２節電モード移行手段により第２節電モード移行条件が満たされた場合」とは、「第２節電モード移行手段によりジョブ又は最後の操作の終了を検出したときからの放置時間が第２の所定時間Ｔ２に達した場合」のことである。ここでも、「最後の操作」には、各種の設定／登録操作も含まれるものとする。
【００５３】
あるいは、「第１節電モード移行条件」とは、「第１節電モード移行操作がなされたか否か」であり、例えば、操作部２に設けられた第１節電モード移行キーが押されるなどして第１節電モード移行操作がなされたか否かという条件のことである。この場合、第１節電モード移行キーが第１節電モード移行手段であって、「第１節電モード移行条件が満たされた場合」とは、「第１節電モード移行操作がなされた場合」のことである。
【００５４】
また、「第１節電モード移行条件」と同様に「第２節電モード移行条件」とは、「第２節電モード移行操作がなされたか否か」であり、例えば、操作部２に設けられた第２節電モード移行キーが押されるなどして第２節電モード移行操作がなされたか否かという条件のことである。この場合、第２節電モード移行キーが第２節電モード移行手段であって、「第２節電モード移行条件が満たされた場合」とは、「第２節電モード移行操作がなされた場合」のことである。
【００５５】
この第１節電モード移行キーは画像記録部４の定着器ユニット２７のランプヒータ４３を電源オフ（又は低温度帯温度維持制御に移行）するための節電モードに移行するための操作キーであり、第２節電モード移行キーはスキャナランプ３５を消灯（又は光量低減）するための操作キーである。
なお、専用の操作キーとして第１節電モード移行キーと第２節電モード移行キーとを設けずに、表示対応キーの操作により表示部２０に第１節電モードへの移行画面、又は第２節電モードへの移行画面を呼び出し、該表示対応キーを操作して、第１節電モード、又は第２節電モードへ切り換えるように構成してもよく、第１節電モード移行手段、第１節電モード移行条件、及び第２節電モード移行手段、第２節電モード移行条件は特に限定はしない。
【００５６】
以下では、前者の第１節電モード移行手段と第２節電モード移行手段とを備えた画像処理装置について、各節電モードへ移行するまでの流れを図４に示すフローチャートを参照しながら説明することとする。
なお、以下の説明では、前記第１の所定時間Ｔ１の方を前記第２の所定時間Ｔ２よりも短く設定しているが、この第１の所定時間Ｔ１と第２の所定時間Ｔ２とは操作部２上のキー操作などによってユーザがそれぞれ独立して設定入力することが可能で、第１の所定時間Ｔ１を第２の所定時間Ｔ２よりも長く設定していてもよく、あるいは、同じ設定時間に設定していてもよい。
【００５７】
まず、ステップＢ１において、ジョブ又は最後の操作が終了したか否かが判断される。そして、ジョブ又は最後の操作が終了した後、放置時間（何も操作されない時間）が第１の所定時間Ｔ１に達すると（ステップＢ２）、ヒータ制御回路４８へ節電信号を出力して定着器ユニット２７のランプヒータ４３を電源オフ（又は低温度帯温度維持制御に移行）する（ステップＢ３）。さらに、ジョブ又は最後の操作が終了した後、放置時間が第２の所定時間Ｔ２に達すると（ステップＢ４）、読取部制御回路３０へ節電信号を出力してスキャナランプ３５を消灯（又は光量低減）する（ステップＢ５）。
【００５８】
このスキャナランプ３５の節電制御の第３実施形態によれば、スキャナランプ３５が消灯（又は光量低減）状態から使用可能状態に復帰する際に光量が安定するまでの時間と、ランプヒータ４３が節電モードから使用可能状態に復帰する際にヒータ温度が安定するまでの時間と、を考慮してそれぞれに最適な節電モード移行条件を設定することができ、画像処理装置が設置される環境などにも応じて最適な節電モード移行条件を設定することができて汎用性が向上するとともに、必要以上の電力消費を抑えることができて省エネルギー化を図ることができる。
【００５９】
以上、スキャナランプ３５の節電制御について３つの実施形態を説明したが、各実施形態において、読取部制御回路３０によってスキャナランプ３５を消灯（又は光量低減）するとき、同時に画像読取部３の作動に係る電気回路の一部又は全部を電源オフ（又は消費電力低減）させるように制御していてもよい。すなわち、スキャナランプ３５の消灯（又は光量低減）に伴って、画像読取専用回路を全て電源オフ（又は消費電力低減）した状態に移行させることもできる。なお、この動作もＲＯＭ１２に記憶されたプログラムに基づき、ＭＰＵ１１の制御により実行される。
【００６０】
この画像読取部３の作動に係る電気回路としては、読取装置３１を移動させるモータやＣＣＤ３２等の画像読取部３自体の電気回路、ＡＤＦ８の駆動系の電気回路、画像読取部３によって読み取られた画像などのイメージデータを一時的に記憶する画像メモリ１５、及び画像読取部３で読み取られた原稿画像を符号化し、この符号化したイメージデータを復号するＣＯＤＥＣ１６等であり、これらの一部又は全部がスキャナランプ３５の消灯（又は光量低減）とともに、電源をオフ（又は消費電力を低減）した状態に移行させる。
【００６１】
これらのスキャナランプ３５の消灯（又は光量低減）と同時に電源オフ（又は消費電力を低減）させるスキャナ系の電気回路は、出荷時において予め設定され、あるいは、ユーザによって選択設定可能に構成されている。
【００６２】
このような構成で、スキャナランプ３５以外にも、スキャナ系の電気回路の一部又は全部を電源オフ又は消費電力低減することで、より一層省エネルギー化を図ることができる。
【図面の簡単な説明】
【００６３】
【図１】画像処理装置の概略構成を示す側面断面図。
【図２】画像処理装置の制御構成を示すブロック図。
【図３】スキャナランプ３５の節電制御の第２実施形態を説明するフローチャート。
【図４】スキャナランプ３５の節電制御の第３実施形態を説明するフローチャート。
【符号の説明】
【００６４】
１    複合機
２    操作部
３    画像読取部
４    画像記録部
１１    ＭＰＵ
１２    ＲＯＭ
３０    読取部制御回路
３１    読取装置
３５    スキャナランプ
４３    ランプヒータ
４８    ヒータ制御回路
【図１】
2005117255.tif 000003
【図２】
2005117255.tif 000004
【図３】
2005117255.tif 000005
【図４】
2005117255.tif 000006